(57)【特許請求の範囲】
【請求項１】
フロントカバーとリアカバーとにより形成された内部空間にパネルユニットが収納された液晶表示装置であって、
前記フロントカバー又は前記リアカバーにおける１つの側板に設けられ、かつ、前記側板の板面に直交して設けられた爪部と、
この爪部を設けなかった前記カバーにおける１つの辺の前記爪部に対応する領域に設けられて、前記爪部が挿入される爪孔部と、を備え、
前記爪部に対応する領域に、立上部とテラス部とからなる階段状の段部が形成されて、前記立上部に前記爪孔部が形成されていることを特徴とする液晶表示装置。
【請求項２】
前記請求項１に記載の液晶表示装置であって、
前記段部は、前記爪部に対応する領域に部分的に形成されていることを特徴とする液晶表示装置。
【請求項３】
前記請求項１又は２に記載の液晶表示装置であって、
前記爪部は、前記爪孔部に挿入される爪挿入部と、前記爪孔部に前記爪挿入部を挿入したときに前記立上部に当接して挿入量を規制する爪肩部とを備えることを特徴とする液晶表示装置。
【請求項４】
前記請求項３に記載の液晶表示装置であって、
前記爪部が並設され、かつ、隣接する前記爪部の前記爪肩部が連なった状態で一体的に設けられていることを特徴とする液晶表示装置。
【請求項５】
前記請求項１乃至４のいずれか１項に記載の液晶表示装置であって、
前記爪部又は前記テラス部に設けられた抜止片と、
前記テラス部又は前記爪部に、前記抜止片が嵌合する抜止孔と、を設けたことを特徴とする液晶表示装置。
【請求項６】
前記請求項１乃至５のいずれか１項に記載の液晶表示装置であって、
前記テラス部が、前記内部空間側に傾斜して設けられていることを特徴とする液晶表示装置。
【請求項７】
前記請求項６に記載の液晶表示装置であって、
前記側板の端面から当該側板中央側の所定距離の位置に前記爪部が設けられ、かつ、該爪部より端面側の前記側板が前記爪部に対応する領域を覆うことを特徴とする液晶表示装置。
【請求項８】
前記請求項１乃至７のいずれか１項に記載の液晶表示装置であって、
前記爪部が、該爪部における先端側の少なくとも１つの端面コーナに形成された爪テーパ部を備え、
前記爪孔部が、前記爪部の挿入される該爪孔部の孔面の少なくとも１つのコーナに形成された爪孔テーパ部を備えることを特徴とする液晶表示装置。
【請求項９】
前記請求項１乃至８のいずれか１項に記載の液晶表示装置であって、
前記爪部を前記爪孔部に挿入した際に、該爪部と前記パネルユニットとの接触を防止する絶縁シートを設けたことを特徴とする液晶表示装置。
【発明の詳細な説明】
【技術分野】
【０００１】
本発明は、液晶表示装置に係り、特にフロントカバーとリアカバーとを係合させる係合機構を備えた液晶表示装置に関する。
【背景技術】
【０００２】
一般に、液晶表示装置等の電子機器に対して小型化、軽量化、高強度化等が要求されている。かかる小型化、軽量化、高強度化等の要求は、選択的要求ではない。即ち、例えば小型化、軽量化の要求を満たすために、強度が犠牲にされても良いとする要求ではない。
【０００３】
液晶表示装置は、パネルユニットと、このパネルユニットを収納するカバーとを備えている。そこで、液晶表示装置に対する上記要求に応えるために、パネルユニットやカバーの小型化、軽量化、高強度化等を行っている。
【０００４】
特許文献１には、図２６に示したように、パネルユニット１０１を収納するカバー１０２を備えた構成が提案されている。なお、カバー１０２は、上側の面が開口された箱体のフロントカバー１０３及び、下側の面が開口された箱体のリアカバー１０４により構成されている。フロントカバー１０３の側板１０５には開口部１０７が設けられ、リアカバー１０４の側板１０６には開口部１０７の位置に対応して凸状の爪部１０８が設けられている。従って、側板１０５が側板１０６の外側に位置するように、フロントカバー１０３をリアカバー１０４に挿入すると、開口部１０７に爪部１０８が嵌り込んで、フロントカバー１０３とリアカバー１０４とが係合する。そして、フロントカバー１０３とリアカバー１０４との間に形成される空間が、パネルユニット１０１の収納空間となる。
【０００５】
このとき、フロントカバー１０３の側板１０５とリアカバー１０４の側板１０６とが重なる構成であるため、側板の重なり部分における強度は他の部分の強度より大きくなる。しかし、液晶表示装置において最も強度向上が望まれるパネル面側及びパネル背面側の強度の向上が図られていないので、側部の強度だけが向上しても、液晶表示装置の強度が向上したとすることができない。即ち、側板が重なる構造では、液晶表示装置における側部の強度は向上するが、かかる側部の強度向上は他の部分の強度に比べて高い強度を持つようになる。このように部分的に必要以上の強度を持つことは、過剰強度となることを意味する。
【０００６】
ところが、側板１０５，１０６が重なる場合には、液晶表示装置の側部の厚みは側板１０５と側板１０６との厚みの合計になるので、例えば側板１０６の厚みだけ液晶表示装置が大型化し、また側板１０６の重さだけ液晶表示装置が重くなる不都合が生じる。従って、特許文献１にかかる構成では、小型化、軽量化、高強度化等を非選択的に向上させることができない問題があった。
【０００７】
一方、特許文献２には、図２７に示すような液晶表示装置が提案されている。この液晶表示装置は、回路基板１２１と固定枠体１２３とが、パネルユニット１２０を収納する空間を形成している。固定枠体１２３の側板１２４には係合片１２５が設けられ、また回路基板１２１には係合片１２５が挿入される係合孔１２６が設けられている。また、回路基板１２１には、係合孔１２６と連通した凹部１２８が形成されて、係合孔１２６に挿入された係合片１２５の先端部分を折り曲げた際に、この先端部分が凹部１２８に収納されるようになっている。さらに、固定枠体１２３における側板１２４の内側には、導電ゴムで形成されたスペーサ兼用の接続体１２７が配置されている。
【０００８】
このような構成の場合には、液晶表示装置の側部の最小厚みは、側板１２４と接続体１２７との厚みとなるため、液晶表示装置は大型化してしまう不都合が生じる。また、接続体１２７は、導電ゴムで形成されているため、強度向上への寄与は期待できない反面、接続体１２７も重さを持つため、その重さ分だけ液晶表示装置は重くなってしまう不都合がある。
【先行技術文献】
【特許文献】
【０００９】
【特許文献１】特開２００１−１９４６４９号公報
【特許文献２】実開平４−９０９０号公報
【発明の概要】
【発明が解決しようとする課題】
【００１０】
このように、上述した各特許文献１，２にかかる構成では、液晶表示装置の小型化、軽量化、高強度化の各要求を、非選択的に向上させることが困難であった。
【００１１】
そこで、本発明の主目的は、簡単、かつ、安価な構成で小型化、軽量化、高強度化を非選択的に向上させた液晶表示装置を提供することである。
【課題を解決するための手段】
【００１２】
上記課題を解決するために、本発明にかかる液晶表示装置は、フロントカバーとリアカバーとにより形成された内部空間にパネルユニットが収納された液晶表示装置であって、上記フロントカバー又は上記リアカバーにおける１つの側板に設けられ、かつ、当該側板の板面に直交して設けられた爪部と、この爪部を設けなかった上記カバーにおける１つの辺の上記爪部に対応する領域に設けられて、上記爪部が挿入される爪孔部と、を備え、上記爪部に対応する領域に、立上部とテラス部とからなる階段状の段部が形成されて、当該立上部に上記爪孔部が形成されていることを特徴とする。
【発明の効果】
【００１３】
本発明によれば、簡単、かつ、安価な構成で小型化、軽量化、高強度化を非選択的に向上させることができる。
【図面の簡単な説明】
【００１４】
【図１】本発明の第１の実施形態にかかる液晶表示装置の正面図である。
【図２】第１の実施形態にかかる液晶表示装置の裏面図である。
【図３】第１の実施形態にかかる液晶表示装置の分解斜視図である。
【図４】第１の実施形態にかかる液晶表示装置の組み立て方法を説明する図である。
【図５】図１及び図２のＡ−Ａ線における液晶表示装置の部分断面図である。
【図６】図１及び図２のＡ−Ａ線における領域に相当する断面図で、段部を部分的に設けた液晶表示装置の部分断面図である。
【図７】図６における液晶表示装置のリアカバーの部分斜視図である。
【図８】図１及び図２のＡ−Ａ線における領域に相当する断面図で、爪部と爪孔部との形成位置を入れ替えた液晶表示装置の部分断面図である。
【図９】本発明の第２の実施形態にかかる液晶表示装置の裏面図である。
【図１０】第２の実施形態にかかる液晶表示装置の係合機構を説明する図で、（ａ）は図９のＢ−Ｂ線における液晶表示装置の部分断面図、（ｂ）は爪部に抜止孔を設けたフロントカバーとテラス部に抜止片を設けリアカバーの部分斜視図である。
【図１１】本発明の第３の実施形態にかかる液晶表示装置の裏面図である。
【図１２】図１１のＣ−Ｃ線における液晶表示装置の部分断面図である。
【図１３】第３の実施形態にかかるテラス部を傾斜させたときの作用を説明する図である。
【図１４】第３の実施形態にかかるテラス部を部分的に傾斜させた液晶表示装置の部分断面図である。
【図１５】第３の実施形態にかかる絶縁シートを設けた液晶表示装置の部分断面図である。
【図１６】第３の実施形態にかかる段部を部分的に設けた液晶表示装置の部分断面図である。
【図１７】第３の実施形態にかかる庇部を覆う庇覆部を設けた液晶表示装置の部分断面図である。
【図１８】第３の実施形態にかかるフロントカバーの部分斜視図である。
【図１９】本発明の第４の実施形態にかかる液晶表示装置の裏面図である。
【図２０】第４の実施形態にかかるフロントカバーとリアカバーとの部分斜視図である。
【図２１】第４の実施形態にかかる他の構成の液晶表示装置の裏面図である。
【図２２】図２１における液晶表示装置のフロントカバーの部分斜視図である。
【図２３】本発明の第５の実施形態にかかる液晶表示装置の部分断面図である。
【図２４】第５の実施形態にかかる側面が丸形状のテーパ部を備える液晶表示装置の部分拡大断面図である。
【図２５】第５の実施形態にかかる側面が平面形状のテーパ部を備える液晶表示装置の部分拡大断面図である。
【図２６】関連技術にかかる液晶表示装置の斜視図である。
【図２７】他の関連技術にかかる液晶表示装置の断面図である。
【発明を実施するための形態】
【００１５】
＜第１の実施形態＞
本発明の第１の実施形態を説明する。図１は第１の実施形態にかかる液晶表示装置１０Ａの正面図であり、図２はその裏面図である。図３は、このような液晶表示装置１０Ａの分解斜視図である。また、図４は、図１及び図２のＡ−Ａ線における液晶表示装置の部分断面図で、フロントカバー１２ａとリアカバー１２ｂとを係合させて組み立てる方法を説明する図である。
【００１６】
液晶表示装置１０Ａは、パネルユニット１１と、このパネルユニット１１を収納するカバー１２とを備える。カバー１２は、パネルユニット１１のパネル面側のフロントカバー１２ａとパネルユニット１１の裏面側のリアカバー１２ｂとにより構成されて、これらが係合機構により係合している。なお、以下の説明では、フロントカバー１２ａやリアカバー１２ｂが、それぞれ１つ部材で構成されている場合について説明する。しかし、フロントカバー１２ａやリアカバー１２ｂは、複数の部材により形成されていてもよい。
【００１７】
図３に示すように、パネルユニット１１は、液晶部１１ａ、光源部１１ｂ、回路基板部１１ｃ及び、パネルＦＰＣ（Ｆｌｅｘｉｂｌｅ  Ｐｒｉｎｔｅｄ  Ｃｉｒｃｕｉｔｓ）１１ｄを含んでいる。液晶部１１ａは、液晶材料を含み、透過光を制御することで各種の情報を表示する。光源部１１ｂは、液晶部１１ａに照射する光の光源をなす。回路基板部１１ｃは、パネルＦＰＣ１１ｄにより液晶部１１ａと接続され、また図示しない光源ＦＰＣにより光源部１１ｂと接続されて、これらを制御する電子回路を含んでいる。液晶部１１ａ、光源部１１ｂ、回路基板部１１ｃ及び、パネルＦＰＣ１１ｄ等の具体的構成に関しては、種々の構成が適用できるので、ここでは敢えて言及しない。
【００１８】
フロントカバー１２ａ及びリアカバー１２ｂは、アルミニュームやステンレス鋼を含む材料で形成され、フロントカバー１２ａの４辺には側板１３ａ〜１３ｄが設けられ、かつ、その内の１つの側板１３ｄには、複数の爪部１５Ａが設けられている。また、リアカバー１２ｂの３辺には、側板１４ａ〜１４ｃが形成され、かつ、残りの辺には、爪孔部１６が爪部１５Ａに対応して設けられている。なお、以下においては、爪孔部１６が設けられている辺の領域を近辺領域と言う。従って、この近辺領域は、爪部１５Ａが側板１３ｄに形成されている場合は、この側板１３ｄに対向するリアカバー１２ｂにおける辺の近傍の領域である。爪部１５Ａはスティック状の部材であり、爪孔部１６は爪部１５Ａが挿入される貫通孔である。これら爪部１５Ａ及び爪孔部１６により係合機構１７が構成されている。
【００１９】
係合機構１７を詳細に説明する。図３に示すように、フロントカバー１２ａの側板１３ｄの高さＨ１は、液晶表示装置１０Ａの高さに相当し、この側板１３ｄの端縁に複数の爪部１５Ａが設けられている。そして、爪部１５Ａは、フロントカバー１２ａの表面（液晶表示装置１０Ａのパネル面をなす面）に略平行になるように、折り曲げ加工して形成されている。
【００２０】
一方、リアカバー１２ｂの近辺領域は階段状に曲げ加工されて、段部２０が近辺領域に形成されている。段部２０は、立上部２１とテラス部２２Ａとにより構成され、立上部２１には貫通孔の爪孔部１６が形成されている。
【００２１】
このようなフロントカバー１２ａとリアカバー１２ｂとを係合させる際には、図４に示すように、フロントカバー１２ａを傾けた状態で保持しながら、リアカバー１２ｂの方向に移動させる。そして、爪部１５Ａを爪孔部１６に挿入する。このとき、テラス部２２Ａは、爪部１５Ａをガイドするガイド板として機能するので、容易に爪部１５Ａを爪孔部１６に挿入できる。その後、フロントカバー１２ａを矢印Ｄ１の方向に回転させることにより、フロントカバー１２ａとリアカバー１２ｂとが係合する。
【００２２】
図５は、図１及び図２のＡ−Ａ線における部分断面図で、フロントカバー１２ａとリアカバー１２ｂとを係合させた状態を示している。図５から明らかなように、液晶表示装置１０Ａにおける側板１３ｄ側の厚みは、この側板１３ｄの厚みだけにより決まる。従って、図２６に示したようなフロントカバーの側板とリアカバーの側板とが重なり合う液晶表示装置に対して、本実施形態にかかる液晶表示装置１０Ａは１枚の側板１３ｄの厚みだけ小型化が可能になると共に、省略される１枚の側板の重量だけ軽量化が可能になる。
【００２３】
また、図５に示すように、爪部１５Ａとリアカバー１２ｂとの隙間Ｈ２、爪部１５Ａとテラス部２２Ａとの隙間Ｈ３、テラス部２２Ａの端面と側板１３ｄとの隙間Ｈ４は、それぞれ最小寸法に設定する。これにより爪孔部１６に挿入された爪部１５Ａのガタツキが抑制できる。
【００２４】
また、爪部１５Ａを爪孔部１６に挿入した際に、爪部１５Ａの先端領域はリアカバー１２ｂに接すると共に、爪部１５Ａの基部領域はテラス部２２Ａに接するようになる。これにより、リアカバー１２ｂに矢印Ｄ３方向の外力（リアカバー１２ｂをパネルユニット１１の方向に押す力）が作用した場合には、リアカバー１２ｂと爪部１５Ａとは、共同して外力に対抗する。即ち、爪部１５Ａは、矢印Ｄ３方向の外力に対して、リアカバー１２ｂの強度を高めるように機能する。また、リアカバー１２ｂに矢印Ｄ４方向の外力（リアカバー１２ｂをパネルユニット１１側から引く力）が作用した場合には、テラス部２２Ａと爪部１５Ａとは共同して外力に対抗する。即ち、テラス部２２Ａは、矢印Ｄ４方向の外力に対して、リアカバー１２ｂの強度を高めるように機能する。
【００２５】
上記説明においては、図３等を参照して段部２０がリアカバー１２ｂにおける近辺領域のほぼ全域にわたり形成されている場合について説明したが、本実施形態は、このような構成に限定されない。例えば、図６及び図７に示すように、爪孔部１６の近辺にのみ段部２０を設けても良い。なお、図６は、図１のＡ−Ａ線の領域に相当する液晶表示装置の断面図を示し、図７は段部２０が形成されているリアカバー１２ｂの部分斜視図である。
【００２６】
図６及び図７において、番号３３は、段曲げ加工されなかったリアカバー１２ｂの領域を示している。以下この領域を、庇部３３と記載する。このような構成により、爪部１５Ａは、テラス部２２Ａと庇部３３とにより挟まれるため、液晶表示装置１０Ａの厚み方向（図６において矢印Ｄ８の方向）の外力に対する強度が向上する。
【００２７】
また、上記説明では、爪孔部１６をリアカバー１２ｂ側に設け、爪部１５Ａをフロントカバー１２ａ側に設けた場合について説明したが、本実施形態はこれに限定されず、例えば図８に示すように、フロントカバー１２ａに爪孔部１６を設けリアカバー１２ｂに爪部１５Ａを設けても良い。どちらの構成であっても、同じ作用効果が得られる。
【００２８】
以上説明したように、フロントカバーとリアカバーとを係合させる係合機構を爪部と爪孔部により構成したので、簡単、かつ、安価な構成で液晶表示装置の小型化、軽量化、高強度化を非選択的に向上させることができる。
【００２９】
＜第２の実施形態＞
次に、本発明の第２の実施形態を説明する。なお、第１の実施形態と同一構成に関しては同一符号を用いて説明を適宜省略する。本実施形態においては、爪部が爪孔部から容易に抜け出ないように、抜止機構を設けている。
【００３０】
図９は、本実施形態にかかる液晶表示装置１０Ｂの裏面図である。また、図１０（ａ）は、図９におけるＢ−Ｂ線の断面図であり、図１０（ｂ）は、係合機構１７Ｂを説明するためのフロントカバー１２ａ及びリアカバー１２ｂの部分斜視図である。
【００３１】
係合機構１７Ｂは、フロントカバー１２ａに設けられた爪部１５Ｂ及びリアカバー１２ｂに設けられた爪孔部１６を備える。また、爪部１５Ｂには抜止孔４２が形成され、またテラス部２２Ａには抜止片４１が形成されている。なお、爪部１５Ｂに抜止片４１を形成し、テラス部２２Ａに抜止孔４２を形成しても良い。
【００３２】
これにより、爪部１５Ｂを爪孔部１６に挿入する場合、爪部１５Ｂは、抜止片４１を弾性変形させながら挿入される。そして、爪部１５Ｂが所定位置まで挿入されると、抜止片４１は弾性力により復元して抜止孔４２に嵌る。従って、フロントカバー１２ａに、爪孔部１６から爪部１５Ｂを引き抜くような矢印Ｄ９の方向の外力が作用しても、抜止片４１と抜止孔４２との当接によって、爪部１５Ｂの抜けが規制される。よって、フロントカバー１２ａとリアカバー１２ｂとの係合状態の信頼性が向上する。
【００３３】
＜第３の実施形態＞
次に、本発明の第３の実施形態を説明する。なお、第１の実施形態と同一構成に関しては同一符号を用いて説明を適宜省略する。これまでの各実施形態においては、リアカバーに設けられていた段部におけるテラス部は、リアカバーの主面に対して平行に設けられていた。これに対して、本実施形態にかかるテラス部はリアカバーの主面に対して所定の角度を持つように設けた。
【００３４】
図１１は、本実施形態にかかる液晶表示装置１０Ｃの裏面図である。図１２は、図１１のＣ−Ｃ線における液晶表示装置１０Ｃの部分断面図である。また、図１３は、フロントカバー１２ａとリアカバー１２ｂとの係合方法を説明する図である。
【００３５】
図１２から明らかなように、液晶表示装置１０Ｃの裏面をなすリアカバー１２ｂの主面Ｓに対してテラス部２２Ｃは、所定角度θだけ傾斜している。なお、図１４に示すように、爪孔部１６に対応する領域のみを傾斜させたテラス部２２Ｃであっても良い。即ち、図１１〜図１３においては、テラス部２２Ｃは、リアカバー１２ｂの近辺領域のほぼ全域に渡り傾斜させて形成されているが、図１４に示すように爪孔部１６の近辺のみを傾斜させたテラス部２２Ｃであっても良い。
【００３６】
このようにテラス部２２Ｃを傾斜させた理由を、図１３を参照して説明する。フロントカバー１２ａとリアカバー１２ｂとを係合させる際は、リアカバー１２ｂは作業台４５に載置されている。この状態でフロントカバー１２ａを傾けながらリアカバー１２ｂに近づけ、爪部１５Ａを爪孔部１６に挿入する。
【００３７】
このとき、テラス部２２Ｃがリアカバー１２ｂの主面Ｓに平行に形成されていると、フロントカバー１２ａの傾斜角度の許容範囲は狭くなる。先に、図５を参照して、爪部１５Ａとリアカバー１２ｂとの隙間Ｈ２及び、爪部１５Ａとテラス部２２Ａとの隙間Ｈ３を最小寸法に設定することで、爪孔部１６に挿入された爪部１５Ａのガタツキを抑制することを述べた。従って、この場合には、フロントカバー１２ａの傾斜角度の許容範囲は狭くなる。傾斜角度の許容範囲が狭いことは、フロントカバー１２ａとリアカバー１２ｂとの係合作業が難しくなることを意味する。しかし、図１３に示すようにテラス部２２Ｃを傾斜させることにより、フロントカバー１２ａに許容される傾斜角度の範囲を広くすることができる。
【００３８】
図１３において実線と一点鎖線とのフロントカバー１２ａのなす角度αは、図５のようにテラス部をリアカバーの主面に平行に形成したときに、フロントカバーに対して許容される傾斜角度を示している。爪孔部に挿入された爪部のガタツキを抑制するために、爪部とリアカバーとの隙間及び、爪部とテラス部との隙間を最小寸法に設定することは、この角度αを小さくすることと等価である。
【００３９】
一方、テラス部２２Ｃを傾斜させると、フロントカバー１２ａに許容される傾斜角度に範囲は、α＋βとなる。即ち、角度βだけ、フロントカバー１２ａに許容される傾斜角度の範囲を大きくできる。そして、フロントカバー１２ａの傾斜角度をγとしたとき、α≦γ≦βの範囲では、爪部１５Ａはテラス部２２Ｃに当たりガイドされて、爪孔部１６に挿入される。従って、フロントカバー１２ａに許容される傾斜角度の範囲を大きくすることができ、フロントカバー１２ａとリアカバー１２ｂとの係合作業が容易になる。なお、テラス部２２Ｃを傾斜させる際に、爪部１５Ａが当たる領域（爪部１５Ａをガイドする領域）のみを傾斜させれば良く、テラス部２２Ｃの全領域を傾斜させる必要はない。
【００４０】
ところで、爪部１５Ａを爪孔部１６に挿入する際に、爪部１５Ａの先端がパネルＦＰＣ１１ｄに接触することが危惧される。特に、上述したように、フロントカバー１２ａに許容される傾斜角度が大きい場合には、爪部１５Ａの先端とパネルＦＰＣ１１ｄとの接触が危惧される。このような場合には、図１５に示すように、パネルＦＰＣ１１ｄとリアカバー１２ｂとの間に電気的な絶縁特性を持つ絶縁シート４６を設けて、爪部１５Ａの先端とパネルＦＰＣ１１ｄとの接触を防止することが好ましい。
【００４１】
また、本実施形態においても、図１６に示すように、段部２０を爪部１５Ａに対向する近辺領域にだけに設けることも可能である。この場合、庇部３３の端面が露出する状態となり、かつ、庇部３３の長さＬ１が長いため、外力により庇部３３の変形が危惧される。このような場合は、図１７及び図１８に示すように、爪部１５Ａが折り曲げられた領域以外の側板１３ｄを、庇部３３の厚みに相当する長さＬ２だけ突出させる。図１７及び図１８においては、爪部１５Ａより突出した側板部分を番号３４で示している。以下、この領域を庇覆部３４と記載する。
【００４２】
庇覆部３４は、上述したように、外力が庇部３３に加わる領域を少なくする機能をなす。この場合、外力により庇覆部３４が変形することが危惧される。しかし、庇覆部３４の長さＬ２は、側板１３ｄの厚みに相当した寸法であり、この寸法は小さい（Ｌ２≦Ｌ１）ので、外力による庇覆部３４や側板１３ｄの変形量は小さい。また、庇覆部３４に隣接する爪部１５Ａがリブとして機能するため、庇覆部３４や側板１３ｄの強度は向上する。
【００４３】
＜第４の実施形態＞
次に、本発明の第４の実施形態を説明する。なお、第１の実施形態と同一構成に関しては同一符号を用いて説明を適宜省略する。本実施形態は爪部を爪孔部に挿入した際の、挿入ガタツキを防止する構成に関する。
【００４４】
図１９は、このような爪部１５Ｄを備えた本実施形態にかかる液晶表示装置１０Ｄの裏面図である。また、図２０は、爪部１５Ｄの近傍におけるフロントカバー１２ａ及びリアカバー１２ｂの拡大図である。以下において、「幅」の用語を用いるが、この幅は、図２０に示すように、リアカバー１２ｂに形成された爪孔部１６における長手方向を言う。
【００４５】
これまで説明した爪部の幅は、一様な寸法に形成されていた。従って、爪部が爪孔部に挿入される際には、爪部の基部まで挿入できた。これに対し、本実施形態における爪部１５Ｄは、爪部１５Ｄの基部領域の幅が爪孔部１６の幅寸法より大きな寸法に形成されている。これにより、爪部１５Ｄの挿入量が規制される。
【００４６】
図２０から明らかなように、爪部１５Ｄは、爪先端をなす爪挿入部３５と、爪の基部をなす爪肩部３２とにより構成されている。爪挿入部３５の幅寸法は、爪孔部１６の幅寸法より適宜小さな寸法に設定されて、爪孔部１６に爪挿入部３５が挿入でき、かつ、挿入した際に幅方向のガタツキが小さくなるように設定されている。
【００４７】
一方、爪肩部３２の幅寸法は、爪孔部１６の幅寸法より大きな寸法に設定されている。従って、爪部１５Ｄを爪孔部１６に挿入した際には、爪肩部３２が段部２０の立上部２１に当接するまで爪部１５Ｄが挿入される。フロントカバー１２ａ及びリアカバー１２ｂはアルミニューム等を材料とした板材により形成されているため比較的大きな弾性を持っている。
【００４８】
従って、爪肩部３２が立上部２１に当接した際の力により、側板１３ｄ又は段部２０が微少量弾性変形し、この弾性変形状態が保持されることで、爪肩部３２と立上部２１との当接状態が保持される。これにより爪部挿入方向の爪部１５Ｄのガタツキが抑制される。
【００４９】
なお、上記説明では、爪肩部は爪部の両肩（左右）に設けた場合について説明したが、一方の肩にのみ設けても良い。また、全ての爪部に爪肩部を設ける必要はなく、例えば複数の爪部に対して、１つ飛びの爪部に爪肩部を設けた構成であっても良い。
【００５０】
さらに、これまでの説明では、爪部は、側板の端縁に沿って折曲げた場合について説明したが、図２１及び図２２に示すように、側板の端部を適宜含む領域で折り曲げても良い。図２１は、側板１３ｄの端部を適宜含む領域で折り曲げた液晶表示装置１０Ｄの裏面図である。また、図２２は、側板１３ｄの端部構造を示すフロントカバー１２ａの部分斜視図である。
【００５１】
図２２に示すように、側板１３ｄの端部を適宜折り曲げて形成された領域は番号３０で示されている。この領域が、上述した爪肩部３０に相当している。このような爪肩部３０を設けることにより、爪部１５Ｄを爪孔部１６に挿入した際に、爪肩部３０の端面３１が、立上部２１に当接して、爪部１５Ｄの挿入量が規制されて、リアカバー１２ｂに対するフロントカバー１２ａの挿入方向Ｄ２のガタツキが防止できる。
【００５２】
また、図２２の矢印Ｄ５の方向の外力が側板１３ｄに働いても、爪肩部３０は側板１３ｄの変形を抑制するリブとして機能する。同様に、矢印Ｄ６の方向の外力が爪肩部３０に働いても、側板１３ｄは爪肩部３０の変形を抑制するリブとして機能する。従って、側板１３ｄと爪肩部３０とは、互いにリブとして機能するため、強度の向上が可能になる。
【００５３】
＜第５の実施形態＞
次に、本発明の第５の実施形態を説明する。なお、第１の実施形態と同一構成に関しては同一符号を用いて説明を適宜省略する。フロントカバーとリアカバーとを組み立て方法は、フロントカバーを傾けた状態に保持しながら、作業台に載置されたリアカバーにフロントカバーを近づけ、爪部を爪孔部に挿入した。このとき、爪部が滑らかに爪孔部に挿入できることが好ましい。
【００５４】
そこで、本実施形態においては、図２３に示すように、爪部１５Ｅと爪孔部１６Ｅとにテーパ部３６を設けて、これらが滑らかに係合できるようにした。なお、図２３は、爪部１５Ｅと爪孔部１６Ｅとの係合状態を説明するフロントカバー１２ａとリアカバー１２ｂの部分断面図である。
【００５５】
テーパ部３６は、爪部１５Ｅの先端側であってリアカバー１２ｂ側のコーナを丸く形成した爪テーパ部３７と、爪孔部１６Ｅに形成された爪孔テーパ部３８とにより構成されている。
【００５６】
テーパ部３６の形状としては、図２４や図２５に示す構成が例示できる。なお、図２４及び図２５は、図２３における点線円の領域に対応した拡大図である。図２４は、テーパ部３６の側面の形状が丸形状の場合を示し、図２５は平面形状の場合を示している。何れの形状のテーパ部３６であっても、爪部１５Ｅが爪孔部１６Ｅに挿入する際に爪部１５Ｅは滑らかに爪孔部１６Ｅに案内されるため、組み立て作業が容易になる。
【符号の説明】
【００５７】
１０Ａ〜１０Ｄ  液晶表示装置
１１  パネルユニット
１２  カバー
１２ａ  フロントカバー
１２ｂ  リアカバー
１３ａ〜１３ｄ  側板
１５Ａ〜１５Ｅ  爪部
１６  爪孔部
１７，１７Ｂ  係合機構
２０  段部
２１  立上部
２２Ａ，２２Ｃ  テラス部
３０，３２  爪肩部
３３  庇部
３４  庇覆部
３５  爪挿入部
３６  テーパ部
３７  爪テーパ部
３８  爪孔テーパ部
４１  抜止片
４２  抜止孔
４６  絶縁シート
【図１】
0005578917.tif 000002
【図２】
0005578917.tif 000003
【図３】
0005578917.tif 000004
【図４】
0005578917.tif 000005
【図５】
0005578917.tif 000006
【図６】
0005578917.tif 000007
【図７】
0005578917.tif 000008
【図８】
0005578917.tif 000009
【図９】
0005578917.tif 000010
【図１０】
0005578917.tif 000011
【図１１】
0005578917.tif 000012
【図１２】
0005578917.tif 000013
【図１３】
0005578917.tif 000014
【図１４】
0005578917.tif 000015
【図１５】
0005578917.tif 000016
【図１６】
0005578917.tif 000017
【図１７】
0005578917.tif 000018
【図１８】
0005578917.tif 000019
【図１９】
0005578917.tif 000020
【図２０】
0005578917.tif 000021
【図２１】
0005578917.tif 000022
【図２２】
0005578917.tif 000023
【図２３】
0005578917.tif 000024
【図２４】
0005578917.tif 000025
【図２５】
0005578917.tif 000026
【図２６】
0005578917.tif 000027
【図２７】
0005578917.tif 000028